(57)【要約】経絡温熱治療器の治療用熱エネルギーの計測システムとその方法とその応用である。経絡温熱治療器の治療用熱エネルギーの計測システムは、時間の設定に用いられる時間設定モジュール（１００）と、温度又は強度レベルの設定に用いられる温度設定モジュール又は強度レベル設定モジュール（２００）と、予め設定した時間と予め設定した温度又は強度レベルに基づき治療用熱エネルギーを計測し結果を出力することに用いられ、及び／又は、予め設定した温度又は強度レベルと経絡治療器の治療ヘッドの累計稼働時間とに基づきリアルタイムの治療用熱エネルギーを計測し結果を出力することに用いられる治療用熱エネルギー計測モジュール（３００）とを有する。当該治療用熱エネルギーの計測システムは、経絡治療器の治療ヘッドが生成した熱エネルギーを治療用熱エネルギーの計測パラメータとして用いることによって、経絡温熱療法において治療用熱エネルギーを定量化できないという問題を解決した。【選択図】図１
2019517886.tif 000002
【特許請求の範囲】
【請求項１】
経絡温熱治療器の治療用熱エネルギーの計測システムであって、
時間の設定に用いられる時間設定モジュール（１００）と、
温度又は強度レベルの設定に用いられる温度設定モジュール又は強度レベル設定モジュール（２００）と、
予め設定した時間と予め設定した温度又は強度レベルとに基づき公式１ａを用いて治療用熱エネルギーを計測し結果を出力することに用いられ、及び／又は、予め設定した温度又は強度レベルと経絡治療器の治療ヘッドの累計稼働時間とに基づき公式１ｂを用いてリアルタイムの治療用熱エネルギーを計測し結果を出力することに用いられる治療用熱エネルギー計測モジュール（３００）とを有し、
【数１】
2019517886.tif 000027
【数２】
2019517886.tif 000028
式中、Ｑは治療用熱エネルギーの値を表し、Ｑ工は経絡温熱治療器の治療ヘッドが生成した治療用熱エネルギーの累計の値を表し、Ｉは経絡温熱治療器の電流値を表し、Ｒは経絡温熱治療器の抵抗値を表し、ｔ設は設定した時間を表し、ｔ工は経絡温熱治療器の治療ヘッドの累計稼働時間を表し、ｐｔは経絡温熱治療器の初期オンオフ比を表し、Ｔ設は設定した温度又は設定した強度レベルに対応する温度を表し、Ｔ０は経絡温熱治療器の初期温度又は初期強度レベルに対応する温度を表し、γはオンオフ比の変動係数を表すことを特徴とする治療用熱エネルギーの計測システム。
【請求項２】
前記治療用熱エネルギー計測モジュールはさらに公式２ａ又は公式２ｂを用いて治療用熱エネルギーを計測し、
【数３】
2019517886.tif 000029
【数４】
2019517886.tif 000030
式中、Ｆは治療用熱エネルギーの計測値を表し、Ｆ工は経絡温熱治療器の治療ヘッドが生成した治療用熱エネルギーの累計の計測値を表し、δは治療用熱エネルギーの計測値の換算係数を表すことを特徴とする請求項１に記載の治療用熱エネルギーの計測システム。
【請求項３】
治療用熱エネルギーの計測値の計測単位がＦＵ即ち釜であり、治療用熱エネルギーの値の単位をカロリーに変換する場合、δの取る値は７５〜１２５カロリー／ＦＵ即ち７５〜１２５カロリー／釜であることを特徴とする請求項２に記載の治療用熱エネルギーの計測システム。
【請求項４】
治療用熱エネルギーの設定に用いられる治療用熱エネルギー設定モジュール（４００）と、
予め設定した治療用熱エネルギーと予め設定した温度又は強度レベルとに基づき公式３又は公式４を用いて必要な温熱治療時間を計算し結果を出力することに用いられる温熱治療時間計測モジュール（５００）とをさらに有し、
【数５】
2019517886.tif 000031
【数６】
2019517886.tif 000032
式中、ｔは治療ヘッドの稼働時間を表し、Ｑ設は設定した治療用熱エネルギーの値を表し、Ｆ設は設定した治療用熱エネルギーの計測値を表し、δは治療用熱エネルギーの計測値の換算係数を表し、Ｉは経絡温熱治療器の電流値を表し、Ｒは経絡温熱治療器の抵抗値を表し、ｐｔは経絡温熱治療器の初期オンオフ比を表し、Ｔ設は設定した温度又は設定した強度レベルに対応する温度を表し、Ｔ０は経絡温熱治療器の初期温度又は初期強度レベルに対応する温度を表し、γはオンオフ比の変動係数を表すことを特徴とする請求項１に記載の治療用熱エネルギーの計測システム。
【請求項５】
予め設定した時間、予め設定した温度又は強度レベル、計測した治療用熱エネルギー、計測した治療用熱エネルギーの計測値、予め設定した治療用熱エネルギー、予め設定した治療用熱エネルギーの計測値、計測した温熱治療時間、残りの治療用熱エネルギー及び残りの温熱治療時間のうちの一又は複数の保存に用いられるデータ保存モジュールをさらに有することを特徴とする請求項１〜４の何れか１項に記載の治療用熱エネルギーの計測システム。
【請求項６】
予め設定した時間、予め設定した温度又は強度レベル、計測した治療用熱エネルギー、計測した治療用熱エネルギーの計測値、予め設定した治療用熱エネルギー、予め設定した治療用熱エネルギーの計測値、計測した温熱治療時間、残りの治療用熱エネルギー及び残りの温熱治療時間のうちの一又は複数の表示に用いられる表示モジュールをさらに有することを特徴とする請求項１〜４の何れか１項に記載の治療用熱エネルギーの計測システム。
【請求項７】
予め設定した時間、予め設定した温度又は強度レベル、計測した治療用熱エネルギー、計測した治療用熱エネルギーの計測値、予め設定した治療用熱エネルギー、予め設定した治療用熱エネルギーの計測値、計測した温熱治療時間、残りの治療用熱エネルギー及び残りの温熱治療時間のうちの一又は複数の伝送に用いられる無線通信モジュールをさらに有することを特徴とする請求項１〜４の何れか１項に記載の治療用熱エネルギーの計測システム。
【請求項８】
経絡温熱治療器の治療用熱エネルギーの計測方法であって、
時間を設定するステップＳ１０１と、
温度又は強度レベルを設定するステップＳ１０２と、
予め設定した時間と予め設定した温度又は強度レベルとに基づき公式１ａを用いて治療用熱エネルギーを計算し結果を出力し、及び／又は、予め設定した温度又は強度レベルと経絡治療器の治療ヘッドの累計稼働時間とに基づき公式１ｂを用いてリアルタイムの治療用熱エネルギーを計測し結果を出力するステップＳ１０３とを有し、
【数１】
2019517886.tif 000033
【数２】
2019517886.tif 000034
式中、Ｑは治療用熱エネルギーの値を表し、Ｑ工は経絡温熱治療器の治療ヘッドが生成した治療用熱エネルギーの累計の値を表し、Ｉは経絡温熱治療器の電流値を表し、Ｒは経絡温熱治療器の抵抗値を表し、ｔ設は設定した時間を表し、ｔ工は経絡温熱治療器の治療ヘッドの累計稼働時間を表し、ｐｔは経絡温熱治療器の初期オンオフ比を表し、Ｔ設は設定した温度又は設定した強度レベルに対応する温度を表し、Ｔ０は経絡温熱治療器の初期温度又は初期強度レベルに対応する温度を表し、γはオンオフ比の変動係数を表すことを特徴とする治療用熱エネルギーの計測方法。
【請求項９】
前記ステップＳ１０３において、さらに公式２ａ又は公式２ｂを用いて治療用熱エネルギーを計測し、
【数３】
2019517886.tif 000035
【数４】
2019517886.tif 000036
式中、Ｆは治療用熱エネルギーの計測値を表し、Ｆ工は経絡温熱治療器の治療ヘッドが生成した治療用熱エネルギーの累計の計測値を表し、δは治療用熱エネルギーの計測値の換算係数を表すことを特徴とする請求項８に記載の治療用熱エネルギーの計測方法。
【請求項１０】
治療用熱エネルギーの計測値の計測単位がＦＵ即ち釜であり、治療用熱エネルギーの値の単位をカロリーに変換する場合、δの取る値は７５〜１２５カロリー／ＦＵ即ち７５〜１２５カロリー／釜であることを特徴とする請求項９に記載の治療用熱エネルギーの計測方法。
【請求項１１】
治療用熱エネルギーを設定するステップＳ１０４と、
予め設定した治療用熱エネルギーと予め設定した温度又は強度レベルとに基づき公式３又は公式４を用いて必要な温熱治療時間を計算し結果を出力するステップＳ１０５とをさらに有し、
【数５】
2019517886.tif 000037
【数６】
2019517886.tif 000038
式中、ｔは治療ヘッドの稼働時間を表し、Ｑ設は設定した治療用熱エネルギーの値を表し、Ｆ設は設定した治療用熱エネルギーの計測値を表し、δは治療用熱エネルギーの計測値の換算係数を表し、Ｉは経絡温熱治療器の電流値を表し、Ｒは経絡温熱治療器の抵抗値を表し、ｐｔは経絡温熱治療器の初期オンオフ比を表し、Ｔ設は設定した温度又は設定した強度レベルに対応する温度を表し、Ｔ０は経絡温熱治療器の初期温度又は初期強度レベルに対応する温度を表し、γはオンオフ比の変動係数を表すことを特徴とする請求項８に記載の治療用熱エネルギーの計測方法。
【請求項１２】
予め設定した時間、予め設定した温度又は強度レベル、計測した治療用熱エネルギー、計測した治療用熱エネルギーの計測値、予め設定した治療用熱エネルギー、予め設定した治療用熱エネルギーの計測値、計測した温熱治療時間、残りの治療用熱エネルギー及び残りの温熱治療時間のうちの一又は複数を保存するステップＳ１０７をさらに有することを特徴とする請求項８〜１１の何れか１項に記載の治療用熱エネルギーの計測方法。
【請求項１３】
予め設定した時間、予め設定した温度又は強度レベル、計測した治療用熱エネルギー、計測した治療用熱エネルギーの計測値、予め設定した治療用熱エネルギー、予め設定した治療用熱エネルギーの計測値、計測した温熱治療時間、残りの治療用熱エネルギー及び残りの温熱治療時間のうちの一又は複数を表示するステップＳ１０８をさらに有することを特徴とする請求項８〜１１の何れか１項に記載の治療用熱エネルギーの計測方法。
【請求項１４】
予め設定した時間、予め設定した温度又は強度レベル、計測した治療用熱エネルギー、計測した治療用熱エネルギーの計測値、予め設定した治療用熱エネルギー、予め設定した治療用熱エネルギーの計測値、計測した温熱治療時間、残りの治療用熱エネルギー及び残りの温熱治療時間のうちの一又は複数を、異なる装置の間で選択可能に伝送するステップＳ１０９をさらに有することを特徴とする請求項８〜１１の何れか１項に記載の治療用熱エネルギーの計測方法。
【請求項１５】
経絡温熱治療器であって、
前記経絡温熱治療器は治療用熱エネルギーの計測システムを有し、
前記治療用熱エネルギーの計測システムは請求項１〜７の何れか１項に記載の治療用熱エネルギーの計測システムであることを特徴とする経絡温熱治療器。
【発明の詳細な説明】
【技術分野】
【０００１】
本発明は医療機器の分野に属し、特に治療用熱エネルギーの計測システムとその方法とその応用に関する。
【背景技術】
【０００２】
灸は中医学の三大発明（漢方薬と鍼と灸）の１つである。従来の灸法は、艾を燃やしてツボを温熱することで病気を治療したり予防したりすることに用いられており、方法が簡単であって、治療の効果が顕著である。しかし、施灸は比較的密閉した治療機関又は居室の中で行われるため、艾を燃やす過程で立ち込める煙は、一般に受け入れ難いものであり、とりわけ先進国ではそうである。数十年来、艾の燃焼による発熱に代えて電子サーモスタットによる発熱技術を利用した電子式灸の治療器が間断なく現れた結果、煙の問題は解決されたものの、以下の問題が未だに残っている。
【０００３】
１、伝統的な灸は、本質的に、適切な温度下で人体のツボに「適切な熱エネルギー」を注入する自然療法である。しかし、現在に至るまで、艾柱の個数、又は、「壮」（円錐体の艾）、「棒艾による数分間の温和灸」、「棒艾による数分間の雀啄灸」若しくは「棒艾による数分間の回旋灸」といった非統一な単位を用いて計測されており、しかも、棒艾の太さ、艾中の細いものの割合、燃焼している艾とツボとの距離などの多くの因子は制御し得ないため、統一された基準が存在しない。
【０００４】
２、経絡の温熱療法は、人体、ツボ、疾患及び節気が異なれば、温度、時間及び熱エネルギーの設定次第で、治療の効果及び副作用の発生に直接影響する。そのため、専門的な基準が欠いていれば、経絡の温熱療法の広範な応用を直接制約することになる。
【０００５】
３、電子サーモスタットによる発熱技術は、既に温度と時間を制御できるものの、経絡に注入する治療用エネルギーに対して、基準化された計測、表示、保存及び伝送のモジュールは未だ存在せず、現在に至るまで基準化された「ツボの処方」の施灸はまとめられていない。
【発明の概要】
【発明が解決しようとする課題】
【０００６】
本発明は、経絡温熱治療器の治療用熱エネルギーの計測システムとその方法とその応用を提供することを意図している。本発明の経絡温熱治療器の治療用熱エネルギーの計測システムは、時間の設定に用いられる時間設定モジュールと、温度又は強度レベルの設定に用いられる温度設定モジュール又は強度レベル設定モジュールと、予め設定した時間と予め設定した温度又は強度レベルとに基づき公式１ａを用いて治療用熱エネルギーを計測し結果を出力することに用いられ、及び／又は、予め設定した温度又は強度レベルと経絡治療器の治療ヘッドの累計稼働時間とに基づき公式１ｂを用いてリアルタイムの治療用熱エネルギーを計測し結果を出力することに用いられる治療用熱エネルギー計測モジュールとを有する。本発明は、経絡温熱治療器に対する専用で、簡易で、且つ便利な治療用熱エネルギーの計測システムであり、生成する治療用熱エネルギーを用いて経絡温熱療法における計測を実現し、そして、操作及び制御がより簡単で正確となる。
【課題を解決するための手段】
【０００７】
上記目的及びその他関連する目的を実現するために、本発明は経絡温熱治療器の治療用熱エネルギーの計測システムとその方法とその応用を提供する。
【０００８】
本発明の第一の局面が提供する経絡温熱治療器の治療用熱エネルギーの計測システムは、
時間の設定に用いられる時間設定モジュールと、
温度又は強度レベルの設定に用いられる温度設定モジュール又は強度レベル設定モジュールと、
予め設定した時間と予め設定した温度又は強度レベルとに基づき公式１ａを用いて治療用熱エネルギーを計測し結果を出力することに用いられ、及び／又は、予め設定した温度又は強度レベルと経絡治療器の治療ヘッドの累計稼働時間とに基づき公式１ｂを用いてリアルタイムの治療用熱エネルギーを計測し結果を出力することに用いられる治療用熱エネルギー計測モジュールとを有し、
【数１】
2019517886.tif 000003
【数２】
2019517886.tif 000004
式中、Ｑは治療用熱エネルギーの値を表し、Ｑ工は経絡温熱治療器の治療ヘッドが生成した治療用熱エネルギーの累計の値を表し、Ｉは経絡温熱治療器の電流値を表し、Ｒは経絡温熱治療器の抵抗値を表し、ｔ設は設定した時間を表し、ｔ工は経絡温熱治療器の治療ヘッドの累計稼働時間を表し、ｐｔは経絡温熱治療器の初期オンオフ比を表し、Ｔ設は設定した温度又は設定した強度レベルに対応する温度を表し、Ｔ０は経絡温熱治療器の初期温度又は初期強度レベルに対応する温度を表し、γはオンオフ比の変動係数を表す。
【０００９】
好ましくは、前記治療用熱エネルギー計測モジュールはさらに公式２ａ又は公式２ｂを用いて治療用熱エネルギーを計測し、
【数３】
2019517886.tif 000005
【数４】
2019517886.tif 000006
式中、Ｆは治療用熱エネルギーの計測値を表し、Ｆ工は経絡温熱治療器の治療ヘッドが生成した治療用熱エネルギーの累計の計測値を表し、δは治療用熱エネルギーの計測値の換算係数を表す。
【００１０】
より好ましくは、治療用熱エネルギーの計測値の計測単位がＦＵ即ち釜である場合、δの取る値は７５〜１２５カロリー／ＦＵ即ち７５〜１２５カロリー／釜である。
【００１１】
さらに、前記治療用熱エネルギーの計測システムは、
治療用熱エネルギーの設定に用いられる治療用熱エネルギー設定モジュールと、
予め設定した治療用熱エネルギーと予め設定した温度又は強度レベルとに基づき公式３又は公式４を用いて必要な温熱治療時間を計算し結果を出力することに用いられる温熱治療時間計測モジュールとをさらに有し、
【数５】
2019517886.tif 000007
【数６】
2019517886.tif 000008
式中、ｔは治療ヘッドの稼働時間を表し、Ｑ設は設定した治療用熱エネルギーの値を表し、Ｆ設は設定した治療用熱エネルギーの計測値を表し、δは治療用熱エネルギーの計測値の換算係数を表し、Ｉは経絡温熱治療器の電流値を表し、Ｒは経絡温熱治療器の抵抗値を表し、ｐｔは経絡温熱治療器の初期オンオフ比を表し、Ｔ設は設定した温度又は設定した強度レベルに対応する温度を表し、Ｔ０は経絡温熱治療器の初期温度又は初期強度レベルに対応する温度を表し、γはオンオフ比の変動係数を表す。
【００１２】
本発明の第二の局面が提供する経絡温熱治療器の治療用熱エネルギーの計測方法は、
時間を設定するステップＳ１０１と、
温度又は強度レベルを設定するステップＳ１０２と、
予め設定した時間と予め設定した温度又は強度レベルとに基づき公式１ａを用いて治療用熱エネルギーを計算し結果を出力し、及び／又は、予め設定した温度又は強度レベルと経絡治療器の治療ヘッドの累計稼働時間とに基づき公式１ｂを用いてリアルタイムの治療用熱エネルギーを計測し結果を出力するステップＳ１０３とを有し、
【数１】
2019517886.tif 000009
【数２】
2019517886.tif 000010
式中、Ｑは治療用熱エネルギーの値を表し、Ｑ工は経絡温熱治療器の治療ヘッドが生成した治療用熱エネルギーの累計の値を表し、Ｉは経絡温熱治療器の電流値を表し、Ｒは経絡温熱治療器の抵抗値を表し、ｔ設は設定した時間を表し、ｔ工は経絡温熱治療器の治療ヘッドの累計稼働時間を表し、ｐｔは経絡温熱治療器の初期オンオフ比を表し、Ｔ設は設定した温度又は設定した強度レベルに対応する温度を表し、Ｔ０は経絡温熱治療器の初期温度又は初期強度レベルに対応する温度を表し、γはオンオフ比の変動係数を表す。
【００１３】
好ましくは、前記ステップＳ１０３において、さらに公式２ａ又は公式２ｂを用いて治療用熱エネルギーを計測し、
【数３】
2019517886.tif 000011
【数４】
2019517886.tif 000012
式中、Ｆは治療用熱エネルギーの計測値を表し、Ｆ工は経絡温熱治療器の治療ヘッドが生成した治療用熱エネルギーの累計の計測値を表し、δは治療用熱エネルギーの計測値の換算係数を表す。
【００１４】
より好ましくは、治療用熱エネルギーの計測値の計測単位がＦＵ即ち釜である場合、δの取る値は７５〜１２５カロリー／ＦＵ即ち７５〜１２５カロリー／釜である。
【００１５】
さらに、前記治療用熱エネルギーの計測方法は、
治療用熱エネルギーを設定するステップＳ１０４と、
予め設定した治療用熱エネルギーと予め設定した温度又は強度レベルとに基づき公式３又は公式４を用いて必要な温熱治療時間を計算し結果を出力するステップＳ１０５とをさらに有し、
【数５】
2019517886.tif 000013
【数６】
2019517886.tif 000014
式中、ｔは治療ヘッドの稼働時間を表し、Ｑ設は設定した治療用熱エネルギーの値を表し、Ｆ設は設定した治療用熱エネルギーの計測値を表し、δは治療用熱エネルギーの計測値の換算係数を表し、Ｉは経絡温熱治療器の電流値を表し、Ｒは経絡温熱治療器の抵抗値を表し、ｐｔは経絡温熱治療器の初期オンオフ比を表し、Ｔ設は設定した温度又は設定した強度レベルに対応する温度を表し、Ｔ０は経絡温熱治療器の初期温度又は初期強度レベルに対応する温度を表し、γはオンオフ比の変動係数を表す。
【００１６】
本発明の第三の局面が提供する経絡温熱治療器は、治療用熱エネルギーの計測システムを有し、前記治療用熱エネルギーの計測システムは上述のいずれかの治療用熱エネルギーの計測システムである。
【発明の効果】
【００１７】
上述した本発明の経絡温熱治療器の治療用熱エネルギーの計測システムとその方法とその応用は、以下の有益な効果の少なくとも１つを有する。
【００１８】
１）本発明は、経絡温熱治療器の治療ヘッドは皮膚に直接接触することに基づいて、環境因子から受ける影響が少ないという特徴があり、経絡温熱治療器の治療ヘッドが生成した熱エネルギーを計測のパラメータとして用いることによって、経絡温熱療法において治療用熱エネルギーを統一的に定量化できないという難題を解決した。そして、経絡温熱療法に対する専用で、簡易で、且つ便利な治療用熱エネルギーの計測システムと計測方法を提供することにより、治療ヘッドが生成した熱エネルギーによる治療用熱エネルギーの測定と算出を実現し、経絡温熱療法の基準化に非常に有力な科学的な根拠を提供した。
【００１９】
２）医師は、本発明の経絡温熱治療器の治療用熱エネルギーを計測するシステム及び方法によって、患者に必要な経絡温熱療法の「ツボ処方」を行うことができ、これにより、伝統的な中国施灸の方式を変更し、経絡温熱療法における実際の操作と治療効果の評価との間の信頼性と規格化を大幅に向上させた。
【００２０】
３）公式２ａ又は２ｂを用いて治療用熱エネルギーを計測することにより、「ジュール」という単位では小さ過ぎるため計測値が大きくなり過ぎること、例えば、読み取り値が数百又は数千となる「ジュール」を計測単位とする場合、「ツボ処方」を行ったり、記録したりする際に簡便ではないという問題を解決することができる。
【００２１】
４）本発明で定義する治療用熱エネルギーの計測値の単位であるＦＵ（漢字で釜）は、発明者である費に由来する「Ｆｅｉ’ｓ  Ｕｎｉｔ」を意味する。そして、漢字の「釜」は中国の春秋戦国時代の計測器の名称であり、又、容量の単位として使われたものであり、容量の概念である「釜量」を用いることで、使用者に経絡温熱療法によって得られる治療用熱エネルギーを思わせことができ、覚えやすく、経絡温熱療法における量的多寡を防ぐことができる。
【図面の簡単な説明】
【００２２】
【図１】図１は、本発明実施例１の経絡温熱治療器の治療用熱エネルギーの計測システムを示す。
【図２】図２は、本発明実施例２の経絡温熱治療器の治療用熱エネルギーの計測システムを示す。
【図３】図３は、本発明実施例１の経絡温熱治療器の治療用熱エネルギーを計測する方法のフローチャートを示す。
【図４】図４は、本発明実施例２の経絡温熱治療器の治療用熱エネルギーを計測する方法のフローチャートを示す。
【発明を実施するための形態】
【００２３】
以下、特定の具体的な実例を通して本発明の実施形態を説明するが、当業者であれば本明細書に示した内容から本発明のその他の優れた点と作用効果を理解することができる。本発明は、他の異なる実施形態を実施したり、応用したりすることも可能であり、本明細書中の各項目の細部も異なる観点と応用に基づいて、本発明の精神に反しない限り、各種の追加又は変更を行うことができる。
【００２４】
図１〜図４を参照されたい。尚、本実施例中に示した図は、本発明の基本思想を模式的に説明したものに過ぎず、図中には本発明に関係する部品及び配置だけが表示されており、実際に実施する際の部品の数量、形状及び寸法は表示されてはいない。実際に実施する際には、各部品の数量を適宜変更することができ、部品の配置状態がより複雑になってもよい。
【００２５】
実施例１
図１は、本発明実施例１の経絡温熱治療器の治療用熱エネルギーの計測システムを示す。当該治療用熱エネルギーの計測システムは、
時間の設定に用いられる時間設定モジュール１００と、
温度又は強度レベルの設定に用いられる温度設定モジュール又は強度レベル設定モジュール２００と、
予め設定した時間と予め設定した温度又は強度レベルとに基づき公式１ａを用いて治療用熱エネルギーを計測し結果を出力することに用いられ、及び／又は、予め設定した温度又は強度レベルと経絡治療器の治療ヘッドの累計稼働時間とに基づき公式１ｂを用いてリアルタイムの治療用熱エネルギーを計測し結果を出力することに用いられる治療用熱エネルギー計測モジュール３００とを有し、
【数１】
2019517886.tif 000015
【数２】
2019517886.tif 000016
式中、Ｑは治療用熱エネルギーの値を表し、Ｑ工は経絡温熱治療器の治療ヘッドが生成した治療用熱エネルギーの累計の値を表し、Ｉは経絡温熱治療器の電流値を表し、Ｒは経絡温熱治療器の抵抗値を表し、ｔ設は設定した時間を表し、ｔ工は経絡温熱治療器の治療ヘッドの累計稼働時間を表し、ｐｔは経絡温熱治療器の初期オンオフ比を表し、Ｔ設は設定した温度又は設定した強度レベルに対応する温度を表し、Ｔ０は経絡温熱治療器の初期温度又は初期強度レベルに対応する温度を表し、γはオンオフ比の変動係数を表す。前記オンオフ比の変動係数は、経絡温熱治療器の１℃増加ごとのオンオフ比の変化量である。
【００２６】
Ｑは設定によって経絡温熱治療器の治療ヘッドが発熱して生成した治療用熱エネルギー値を表し、単位はジュールである。
【００２７】
Ｑ工は経絡温熱治療器が生成した治療用熱エネルギーの累計の値を表し、単位はジュールである。
【００２８】
Ｉは経絡温熱治療器の通電時における治療ヘッドの発熱部品の電流強度を表し、単位はアンペアであり、通常、経絡温熱治療器の電流強度は固定値である。
【００２９】
Ｒは経絡温熱治療器の治療ヘッドの発熱部品の抵抗値を表し、単位はオームであり、通常、経絡温熱治療器の治療ヘッドの発熱部品の抵抗値は固定値である。
【００３０】
ｔ設は設定した経絡温熱治療器の治療ヘッドの稼働時間を表し、単位は秒である。
【００３１】
ｔ工は経絡温熱治療器の治療ヘッドの累計の稼働時間を表し、単位は秒である。
【００３２】
ｐｔは経絡温熱治療器の初期オンオフ比を表し、オンオフ比とは治療ヘッドの発熱部品が稼働した時の通電時間と通電時間及び断電時間の総和との比、即ちｔ通／（ｔ通＋ｔ断）である。前記初期オンオフ比とは初めに設定した稼働時の発熱部品の通電時間と通電時間及び断電時間の総和との比である。治療ヘッドの温度が継続的に上昇することを防ぐために、経絡温熱治療器の稼働時においても、治療ヘッドの発熱部品が絶えず通電しているのではなく、通電と断電とが交互に入れ替わる。いわゆる初期オンオフ比とは経絡温熱治療器の治療ヘッドの予め設定したオンオフ比であり、初期オンオフ比は、通常、治療器の生産時に予め設定されたものである。温度又は強度レベルの制御（例えば、断電時間の変更又は通電時間の変更）により、実際のオンオフ比は初期オンオフ比と比べて増減させることができる。
【００３３】
Ｔ設は設定した経絡温熱治療器の治療ヘッドの温度又は設定した経絡温熱治療器の治療ヘッドの強度レベルに対応する温度を表す。
【００３４】
Ｔ０は経絡温熱治療器の初期の温度又は初期の強度レベルに対応する温度を表し、初期の温度又は初期の強度レベルに対応する温度とは経絡温熱治療器に予め設定した初期オンオフ比に対応する温度又は強度レベルである。
【００３５】
γはオンオフ比の変動係数を表し、経絡温熱治療器の１℃増加ごとのオンオフ比の変化量であり、無単位である。
【００３６】
当業者であれば、上述の治療用熱エネルギーの計測過程を、従来技術にあるコンピューター、集積回路モジュール、プログラマブルロジックデバイス、その他ハードウェア又は従来のソフトウェアモジュールを利用して実現できることを簡単に理解する。
【００３７】
経絡温熱治療器の治療ヘッドとは人体のツボがある皮膚に直接接触する部品であり、治療ヘッドの発熱部品が生成した熱エネルギーを利用して、経絡に熱エネルギーを注入し、標的治療を行うものである。
【００３８】
「ジュール」は熱エネルギー値の基礎単位として普く用いられるが、温熱治療で必要な熱エネルギーは比較的大きい（一般的に、数百又は数千ジュールである）。そのため、前記治療用熱エネルギー計測モジュールはさらに公式２ａ又は公式２ｂを用いて治療用熱エネルギーを計測する。
【数３】
2019517886.tif 000017
【数４】
2019517886.tif 000018
式中、Ｆは治療用熱エネルギーの計測値を表し、Ｆ工は経絡温熱治療器の治療ヘッドが生成した治療用熱エネルギーの累計の計測値を表し、δは治療用熱エネルギーの計測値の換算係数を表す。治療用熱エネルギーの計測は熱エネルギーの計測としてより簡便である。δの値とその単位は治療器の設計者の要求に基づいて設定することでき、例えば、治療用熱エネルギーの計測値の計測単位がＦＵ即ち釜である場合において、治療用熱エネルギーの単位がカロリーであれば、予め設定する１ＦＵは７５〜１２５カロリーの任意の値に相当し、即ちδは（７５〜１２５）カロリー／ＦＵの任意の値である。例えば、δが７５カロリー／ＦＵの場合、治療用熱エネルギーが７５カロリーであれば、治療用熱エネルギーの計測値は１ＦＵである。仮に、治療用熱エネルギーの単位がジュールである場合、従来技術に基づいて、先ず熱エネルギーをジュールからカロリーに換算するか、或いはδの単位をカロリー／ＦＵからジュール／ＦＵに換算すればよい。
【００３９】
計測を簡便にする観点から、治療器の生産段階において、治療ヘッドがＴ０で３０分稼働したときに丁度１ＦＵの治療熱エネルギーが生成するように、且つＴ０が最も使われる温度（例えば４３℃）となるように、治療器の初期オンオフ比を設定したり、治療ヘッドの抵抗値を選択したり、治療器の電流値を設定することができる。
【００４０】
経絡温熱治療器は、通常、治療ヘッドの稼働時間と稼働温度を制御する制御部品を有しており、前記時間設定モジュール、及び、前記温度設定モジュール又は前記強度レベル設定モジュールは制御部品に接続されている。
【００４１】
使用者は、時間設定モジュールによって経絡温熱治療器の治療ヘッドの稼働時間を設定し、温度設定モジュール又は強度レベル設定モジュールによって経絡温熱治療器の治療ヘッドの温度又は経絡温熱治療器の治療ヘッドの強度レベルを設定する。経絡温熱治療器は、治療用熱エネルギー計測モジュールによって公式１ａを用いて治療用熱熱エネルギーを計測し、或いは、公式１ａと公式２ａに基づいて治療用熱エネルギーを計測し結果を出力し、これにより、使用者は設定した強度レベルと時間で生成される治療用熱エネルギーを理解する。さらに、経絡温熱治療器の累計稼働時間によって公式１ｂを用いて治療用熱エネルギーを計測することができ、或いは、公式１ｂと公式２ｂを用いて治療用熱エネルギーを計測し結果を出力することができ、これにより、使用者はリアルタイムで治療用熱エネルギーを実際に把握する。
【００４２】
実施例２
図２は、本発明実施例２の経絡温熱治療器の治療用熱エネルギーの計測システムを示す。当該治療用熱エネルギーの計測システムは、実施例１の経絡温熱治療器の治療用熱エネルギーの計測システムにおいて、さらに、以下のものを有する。
【００４３】
治療用熱エネルギーの設定に用いられる治療用熱エネルギー設定モジュール４００を有する。設定した治療用熱エネルギーは、設定した治療用熱エネルギーの値であってもよいし、設定した治療用熱エネルギーの計測値であってもよい。
【００４４】
予め設定した治療用熱エネルギーと予め設定した温度又は強度レベルに基づき公式３又は公式４を用いて必要な温熱治療時間を計算し結果を出力することに用いられる温熱治療時間計測モジュール５００を有する。温熱治療時間計測モジュールは、通常、経絡温熱治療器の制御部品に接続されており、温熱治療時間計測モジュールの出力結果に基づき経絡温熱治療器の治療ヘッドの稼働時間を制御する。
【数５】
2019517886.tif 000019
【数６】
2019517886.tif 000020
式中、ｔは治療ヘッドの稼働時間を表し、Ｑ設は設定した治療用熱エネルギーの値を表し、Ｆ設は設定した治療用熱エネルギーの計測値を表し、δは治療用熱エネルギーの計測値の換算係数を表し、Ｉは経絡温熱治療器の電流値を表し、Ｒは経絡温熱治療器の抵抗値を表し、ｐｔは経絡温熱治療器の初期オンオフ比を表し、Ｔ設は設定した温度又は設定した強度レベルに対応する温度を表し、Ｔ０は経絡温熱治療器の初期温度又は初期強度レベルに対応する温度を表し、γはオンオフ比の変動係数を表す。
【００４５】
ｔは経絡温熱治療器の治療ヘッドが発熱して生成すべき治療用熱エネルギー値をＱ設としたときの必要な温熱治療時間であり、単位は秒である。
【００４６】
Ｑ設は経絡温熱治療器の治療ヘッドが発熱して生成するのに必要な治療用熱エネルギーを設定したものであり、単位はジュールである。
【００４７】
Ｆ設は経絡温熱治療器の治療ヘッドが発熱して生成した治療用熱エネルギーの計測値を設定したものであり、治療用熱エネルギーの計測をより簡便にする観点から、医師は治療用熱エネルギーの計測値をそのまま採用して処方することができ、熱エネルギーの値で処方するよりも簡単で操作しやすく、さらには、特定の整数値のＦＵ即ち釜を採用することを提案する。例えば、患者のあるツボに２ＦＵの熱エネルギーを与えたい場合、使用者は治療器中の対応する治療ヘッドに選択したＦＵ値を入力するだけでよい。
【００４８】
Ｔ設は設定した経絡温熱治療器の治療ヘッドの温度又は設定した経絡温熱治療器の治療ヘッドの強度レベルに対応する温度であり、単位は℃である。
【００４９】
当業者であれば、上述の治療用熱エネルギーの計測過程、温熱治療時間の計測過程及び温熱治療時間の制御を、従来技術にあるコンピューター、集積回路モジュール、プログラマブルロジックデバイス、その他ハードウェア又は従来のソフトウェアモジュールを利用して実現できることを簡単に理解する。
【００５０】
使用者は、ツボ処方にある治療用熱エネルギーの計測値又は治療用熱エネルギーの値に基づいて、治療用熱エネルギー設定モジュール４００によって治療用熱エネルギーを設定し、そして、温度設定モジュール又は強度レベル設定モジュール２００によって、自分にとって比較的快適な強度又は温度を設定する。治療器は、温熱治療時間計測モジュール５００によって対応する温熱治療時間を計算する。さらに、温熱治療時間計測モジュールは経絡温熱治療器の制御部品にに接続されており、温熱治療時間計測モジュールの出力結果に基づき経絡温熱治療器の治療ヘッドの稼働時間を制御し、これにより、ツボ処方にある治療用熱エネルギーの計測値（例えばＦＵ／釜）又は治療用熱エネルギーの値に正確に符合させることができる。
【００５１】
実施例３
実施例１又は実施例２の治療用熱エネルギーの計測システムにおいて、さらに、
予め設定した時間、予め設定した温度又は強度レベル、計測した治療用熱エネルギー、計測した治療用熱エネルギーの計測値、予め設定した治療用熱エネルギー、予め設定した治療用熱エネルギーの計測値、計測した温熱治療時間、残りの治療用熱エネルギー及び残りの温熱治療時間のうちの一又は複数の保存に用いられるデータ保存モジュールを有する。
【００５２】
残りの治療用熱エネルギーは、残りの治療用熱エネルギーの値であってもよいし、或いは、残りの治療用熱エネルギーの計測値であってもよい。前記残りの治療用熱エネルギーの値は、予め設定した治療用熱エネルギーの値又は計測した治療用熱エネルギーの値から、公式１ｂを用いて計測して得た治療用熱エネルギーの値を引いたものに等しく、残りの治療用熱エネルギーの計測値は、予め設定した治療用熱エネルギーの計測値又は計測した治療用熱エネルギーの値から、公式１ｂ及び公式２ｂを用いて計測して得た治療用熱エネルギーの計測値を引いたものに等しい。残りの温熱治療時間は、ｔ又はｔ工から、経絡温熱治療器の治療ヘッドの累計稼働時間を引いたものに等しい。
【００５３】
前記データ保存モジュールは、時間設定モジュール、温度設定モジュール又は強度レベル設定モジュール、治療用熱エネルギー計測モジュール、治療用熱エネルギー設定モジュール、温熱治療時間計測モジュール、温熱治療時間制御モジュールのうちの一又は複数に選択可能に接続する。
【００５４】
前記データ保存モジュールは、通常、経絡温熱治療器の中に設置されており、保存メディアによってデータの保存を行うことができ、当業者は熟知した従来技術によって実現することができる。
【００５５】
当業者であれば、上述の治療用熱エネルギーの計測過程、温熱治療時間の計測過程及び温熱治療時間の制御を、従来技術にあるコンピューター、集積回路モジュール、プログラマブルロジックデバイス、その他ハードウェア又は従来のソフトウェアモジュールを利用して実現できることを簡単に理解する。
【００５６】
実施例４
実施例１、実施例２又は実施例３の治療用熱エネルギーの計測システムにおいて、さらに、
予め設定した時間、予め設定した温度又は強度レベル、計測した治療用熱エネルギー、計測した治療用熱エネルギーの計測値、予め設定した治療用熱エネルギー、予め設定した治療用熱エネルギーの計測値、計測した温熱治療時間、残りの治療用熱エネルギー及び残りの温熱治療時間のうちの一又は複数の表示に用いられる表示モジュールを有する。
【００５７】
前記表示モジュールは、時間設定モジュール、温度設定モジュール又は強度レベル設定モジュール、治療用熱エネルギー計測モジュール、治療用熱エネルギー設定モジュール、温熱治療時間計測モジュール、温熱治療時間制御モジュールのうちの一又は複数に選択可能に接続する。
【００５８】
表示モジュールは、例えば表示パネルとして経絡温熱治療器に設けてもよいし、当該表示パネルは上述のデータのうちの一項又は複数項の表示に用いられるものであり、或いは、表示器を備えた他の装置、例えば移動端末に設けてもよい。
【００５９】
実施例５
実施例１、実施例２、実施例３又は実施例４の治療用熱エネルギーの計測システムにおいて、さらに、
予め設定した時間、予め設定した温度又は強度レベル、計測した治療用熱エネルギー、計測した治療用熱エネルギーの計測値、予め設定した治療用熱エネルギー、予め設定した治療用熱エネルギーの計測値、計測した温熱治療時間、残りの治療用熱エネルギー及び残りの温熱治療時間のうちの一又は複数の伝送に用いられる無線通信モジュールを有する。
【００６０】
前記無線通信モジュールは、時間設定モジュール、温度設定モジュール又は強度レベル設定モジュール、治療用熱エネルギー計測モジュール、治療用熱エネルギー設定モジュール、温熱治療時間計測モジュール、温熱治療時間制御モジュールのうちの一又は複数に選択可能に接続する。
【００６１】
前記無線通信モジュールは、無線通信で上述のデータのうちの一又は複数を伝送する。前記無線通信方法はＷｉ-Ｆｉ(登録商標)無線通信、ブルートゥース(登録商標)無線通信などの無線通信方式を採用することができ、当業者であれば熟知した従来技術によって無線通信技術を実現することができる。前記無線通信モジュールは、経絡温熱治療器の中に設置してもよいし、通信器を備えた他の装置、例えば移動端末に設置してもよい。無線通信モジュールによって、本発明の経絡温熱治療器の治療用熱エネルギーの計測システムにおける各モジュールは必要に応じて一又は複数の異なる装置に設置することを実現できる。
【００６２】
実施例６
図３は、本発明実施例１の経絡温熱治療器の治療用熱エネルギーを計測する方法のフローチャートを示す。当該治療用熱エネルギーを計測する方法は、
時間を設定するステップＳ１０１と、
温度又は強度レベルを設定するステップＳ１０２と、
予め設定した時間と予め設定した温度又は強度レベルとに基づき公式１ａを用いて治療用熱エネルギーを計算し結果を出力し、及び／又は、予め設定した温度又は強度レベルと経絡治療器の治療ヘッドの累計稼働時間とに基づき公式１ｂを用いてリアルタイムの治療用熱エネルギーを計測し結果を出力するステップＳ１０３とを有し、
【数１】
2019517886.tif 000021
【数２】
2019517886.tif 000022
式中、Ｑは治療用熱エネルギーの値を表し、Ｑ工は経絡温熱治療器の治療ヘッドが生成した治療用熱エネルギーの累計の値を表し、Ｉは経絡温熱治療器の電流値を表し、Ｒは経絡温熱治療器の抵抗値を表し、ｔ設は設定した時間を表し、ｔ工は経絡温熱治療器の治療ヘッドの累計稼働時間を表し、ｐｔは経絡温熱治療器の初期オンオフ比を表し、Ｔ設は設定した温度又は設定した強度レベルに対応する温度を表し、Ｔ０は経絡温熱治療器の初期温度又は初期強度レベルに対応する温度を表し、γはオンオフ比の変動係数を表す。
【００６３】
前記ステップＳ１０３において、さらに公式２ａ又は公式２ｂを用いて治療用熱エネルギーを計測し、
【数３】
2019517886.tif 000023
【数４】
2019517886.tif 000024
式中、Ｆは治療用熱エネルギーの計測値を表し、Ｆ工は経絡温熱治療器の治療ヘッドが生成した治療用熱エネルギーの累計の計測値を表し、δは治療用熱エネルギーの計測値の換算係数を表す。
【００６４】
さらに、治療用熱エネルギーの計測値の計測単位がＦＵ即ち釜である場合、δの取る値は（７５〜１２５）カロリー／ＦＵ即ち（７５〜１２５）カロリー／釜である。
【００６５】
実施例７
図４は、本発明実施例２の経絡温熱治療器の治療用熱エネルギーを計測する方法のフローチャートを示す。当該治療用熱エネルギーを計測する方法は、実施例６の治療用熱エネルギーを計測する方法において、さらに、
治療用熱エネルギーを設定するステップＳ１０４と、
予め設定した治療用熱エネルギーと予め設定した温度又は強度レベルとに基づき公式３又は公式４を用いて必要な温熱治療時間を計算し結果を出力するステップＳ１０５とを有し、
【数５】
2019517886.tif 000025
【数６】
2019517886.tif 000026
式中、ｔは治療ヘッドの稼働時間を表し、Ｑ設は設定した治療用熱エネルギーの値を表し、Ｆ設は設定した治療用熱エネルギーの計測値を表し、δは治療用熱エネルギーの計測値の換算係数を表し、Ｉは経絡温熱治療器の電流値を表し、Ｒは経絡温熱治療器の抵抗値を表し、ｐｔは経絡温熱治療器の初期オンオフ比を表し、Ｔ設は設定した温度又は設定した強度レベルに対応する温度を表し、Ｔ０は経絡温熱治療器の初期温度又は初期強度レベルに対応する温度を表し、γはオンオフ比の変動係数を表す。
【００６６】
実施例８
この治療用熱エネルギーを計測する方法は、実施例６又は実施例７の治療用熱エネルギーを計測する方法において、さらに、
予め設定した時間、予め設定した温度又は強度レベル、計測した治療用熱エネルギー、計測した治療用熱エネルギーの計測値、予め設定した治療用熱エネルギー、予め設定した治療用熱エネルギーの計測値、計測した温熱治療時間、残りの治療用熱エネルギー及び残りの温熱治療時間のうちの一又は複数を保存するステップＳ１０７を有する。
【００６７】
実施例９
この治療用熱エネルギーを計測する方法は、実施例６、実施例７又は実施例８の治療用熱エネルギーを計測する方法において、さらに、
予め設定した時間、予め設定した温度又は強度レベル、計測した治療用熱エネルギー、計測した治療用熱エネルギーの計測値、予め設定した治療用熱エネルギー、予め設定した治療用熱エネルギーの計測値、計測した温熱治療時間、残りの治療用熱エネルギー及び残りの温熱治療時間のうちの一又は複数を表示するステップＳ１０８を有する。
【００６８】
実施例１０
この治療用熱エネルギーを計測する方法は、実施例６、実施例７、実施例８又は実施例９の治療用熱エネルギーを計測する方法において、さらに、
予め設定した時間、予め設定した温度又は強度レベル、計測した治療用熱エネルギー、計測した治療用熱エネルギーの計測値、予め設定した治療用熱エネルギー、予め設定した治療用熱エネルギーの計測値、計測した温熱治療時間、残りの治療用熱エネルギー及び残りの温熱治療時間のうちの一又は複数を、異なる装置の間で選択可能に伝送するステップＳ１０９を有する。
【００６９】
経絡温熱治療器は治療用熱エネルギーの計測システムを有し、当該治療用熱エネルギーの計測システムは上述した何れか１つの実施例に記載した治療用熱エネルギーの計測システムである。
【００７０】
上述の実施例は、本発明の原理と作用効果を例示的に説明するものに過ぎず、本発明を制限するものではない。この技術を熟知する者は皆、本発明の精神と範疇に反しない限り、上記実施例に対して追加又は変更を行うことができる。従って、当該技術分野において通常の知識を有する者が本発明に示す精神と技術思想から離れない条件下で完成させた均等な追加又は変更をしたものは、本発明の技術的範囲に属するものである。
【図１】
2019517886.tif 000039
【図２】
2019517886.tif 000040
【図３】
2019517886.tif 000041
【図４】
2019517886.tif 000042
【国際調査報告】
2019517886.tif 000043
2019517886.tif 000044
2019517886.tif 000045
2019517886.tif 000046